(57)【要約】【課題】ユーザがタンク内に触れるのを抑止することが可能な流体収容タンク及び流体噴射装置を提供すること。【解決手段】流体噴射装置の廃棄流体を収容するタンク内に吸収部材が設けられており、当該吸収部材の前記外部に露出する領域のうち少なくとも一部が流体を吸収させた状態に呈する色に近い第１の色になっていることとしたので、外観上吸収部材の少なくとも一部に廃棄流体が付着しているかのような印象をユーザに与えることができる。これにより、ユーザがタンク内に触れるのを抑止することができる。【選択図】図６
2009072966.tif 000002
【特許請求の範囲】
【請求項１】
流体噴射ヘッドから噴射された流体を含む廃棄流体を受け取って収容する流体収容タンクであって、
上面に開口部を有する容器と、
一部が前記開口から露出するように前記容器内に収容され、前記廃棄流体を吸収して貯留する吸収部材と、
を備え、
前記吸収部材のうち前記開口から外部に露出する領域の少なくとも一部は、前記廃棄流体と同一又は近似する色調になっている
ことを特徴とする流体収容タンク。
【請求項２】
前記吸収部材のうち前記開口から外部に露出する領域のほぼ全面が、前記廃棄流体と同一又は近似する色調になっている
ことを特徴とする請求項１に記載の流体収容タンク。
【請求項３】
前記吸収部材のうち前記開口から前記外部に露出する領域であって前記廃棄流体を受ける領域以外の領域が、前記廃棄流体と同一又は近似する色調になっている
ことを特徴とする請求項１に記載の流体収容タンク。
【請求項４】
前記廃棄流体と同一又は近似する色調は、黒を主とする色調である
ことを特徴とする請求項１から請求項３のうちいずれか一項に記載の流体収容タンク。
【請求項５】
流体噴射ヘッドから噴射された流体を含む廃棄流体を収容する流体収容タンクが装置本体に着脱可能に設けられた流体噴射装置であって、
前記流体収容タンクとして、請求項１から請求項４のうちいずれか一項に記載の流体収容タンクを用いることを特徴とする流体噴射装置。
【発明の詳細な説明】
【技術分野】
【０００１】
本発明は、流体収容タンク及び流体噴射装置に関する。
【背景技術】
【０００２】
流体を噴射する流体噴射装置として、例えばインクジェット式記録装置などが知られている。このインクジェット式記録装置の一つとして、例えば特許文献１に示すように、記録媒体として比較的大型の記録用紙（例えばＪＩＳ規格のＡ１判、Ｂ１判など）に記録可能な大型のインクジェット式プリンタ（ラージフォーマットプリンタ：ＬＦＰ）が知られている（例えば、特許文献１参照）。
【０００３】
ＬＦＰは、記録用紙を供給する給紙部と、記録用紙に画像等を記録する記録部と、画像が記録された記録用紙を排出する排紙部とがこの順に配列された構成になっている。記録部の内部には、記録用紙に対して主走査方向に往復移動する記録ヘッドが設けられている。記録部の近傍には、記録ヘッドへの供給インクを貯留するインクカートリッジが抜き差しされるインクカートリッジホルダが設置されている。また、記録ヘッドに至るインク供給系に初期充填する際に使用されるインク、あるいは記録ヘッドに至るインク供給系を洗浄する際に使用される洗浄液等の廃液を回収する廃液回収部も設置されている。
【０００４】
廃液回収部にはＬＦＰ本体に対して着脱可能な廃液回収タンクが設けられており、当該廃液回収タンクは一定量の廃液が溜まる毎に交換できるようになっている。廃液回収タンク内には、廃液を吸収させる吸収部材が収容されており、ユーザが廃液回収タンク内の吸収部材を視認できるようになっている。  
【特許文献１】特開２００３−２６６７４７号公報
【発明の開示】
【発明が解決しようとする課題】
【０００５】
しかしながら、上記構成では、廃液回収タンクの交換時などにユーザが吸収部材に触れてしまう虞がある。廃液内にはインクが含まれている場合もあるため、ユーザの手がインクで汚れてしまうことになる。
【０００６】
以上のような事情に鑑み、本発明の目的は、ユーザがタンク内に触れるのを抑止することが可能な流体収容タンク及び流体噴射装置を提供することにある。
【課題を解決するための手段】
【０００７】
上記目的を達成するため、本発明に係る流体収容タンクは、流体噴射ヘッドから噴射された流体を含む廃棄流体を受け取って収容する流体収容タンクであって、上面に開口部を有する容器と、一部が前記開口から露出するように前記容器内に収容され、前記廃棄流体を吸収して貯留する吸収部材とを備え、前記吸収部材のうち前記開口から外部に露出する領域の少なくとも一部は、前記廃棄流体と同一又は近似する色調になっていることを特徴とする。
【０００８】
本発明によれば、上面に開口部を有する容器と、一部が開口から露出するように容器内に収容され、廃棄流体を吸収して貯留する吸収部材とを備え、吸収部材のうち開口から外部に露出する領域の少なくとも一部は、廃棄流体と同一又は近似する色調になっていることとしたので、外観上吸収部材の少なくとも一部に廃棄流体が付着しているかのような印象をユーザに与えることができる。これにより、ユーザが容器内の吸収部材に触れるのを抑止することができる。
【０００９】
上記の流体収容タンクは、前記吸収部材のうち前記開口から外部に露出する領域のほぼ全面が、前記廃棄流体と同一又は近似する色調になっていることを特徴とする。  
本発明によれば、吸収部材のうち開口から外部に露出する領域のほぼ全面が廃棄流体と同一又は近似する色調になっていることとしたので、外観上吸収部材の全面に廃棄流体が付着しているかのような印象をユーザに与えることができる。これにより、ユーザがタンク内に触れるのを抑止する効果が一層高まることになる。
【００１０】
上記の流体収容タンクは、前記吸収部材のうち前記開口から前記外部に露出する領域であって前記廃棄流体を受ける領域以外の領域が、前記廃棄流体と同一又は近似する色調になっていることを特徴とする。  
例えば流体収容タンクの交換時において、吸収部材のうち廃棄流体を受ける領域は廃棄流体を直接受けることによって廃棄流体が付着し、当該廃棄流体の色調を呈することになる。したがって、本発明では、吸収部材のうち廃棄流体を受ける領域以外の領域を廃棄流体と同一又は近似する色調にすることで、流体収容タンクの交換時には外観上吸収部材の全面に廃棄流体が付着しているかのような印象をユーザに与えることができる。
【００１１】
上記の流体収容タンクは、前記廃棄流体と同一又は近似する色調は、黒を主とする色調であることを特徴とする。  
本発明によれば、廃棄流体と同一又は近似する色調を黒を主とする色調であることとしたので、従来白色になっていた部分が従来とは対照的な黒色になっていることでユーザがタンク内に触れるのを抑止する効果が一層高まることになる。
【００１２】
本発明に係る流体噴射装置は、流体噴射ヘッドから噴射された流体を含む廃棄流体を収容する流体収容タンクが装置本体に着脱可能に設けられた流体噴射装置であって、前記流体収容タンクとして、上記の流体収容タンクを用いることを特徴とする。
【００１３】
本発明によれば、流体噴射ヘッドから噴射された流体を含む廃棄流体を収容する流体収容タンクが装置本体に着脱可能に設けられた流体噴射装置において、流体収容タンクとしてユーザがタンク内に触れるのを抑止することが可能な上記の流体収容タンクを用いるので、ユーザが手を汚すことなく使用できる流体噴射装置を得ることができる。
【発明を実施するための最良の形態】
【００１４】
以下、図面をもとにして本発明の実施の形態を説明する。  
図１は、本実施形態に係るプリンタ１の正面側の構成を示す斜視図である。図２は、プリンタ１の背面の構成を示す斜視図である。  
図１に示すように、プリンタ１は、例えばＪＩＳ規格のＡ１判やＪＩＳ規格のＢ１判といった比較的大型のサイズの記録用紙に記録するインクジェット方式のラージフォーマットプリンタ（ＬＦＰ）であり、プリンタ本体（装置本体）２と、脚部３とを備えた構成になっている。このプリンタ１は、プリンタ本体２に対して脚部３が取り外し可能に固定されている。
【００１５】
プリンタ本体２は、給紙部１０、記録部２０及び排紙部３０を備えている。  
給紙部１０は、記録部２０の上部に設けられており、背面側に突出するように設けられている。給紙部１０には、ロール紙ホルダ１１と、ロール紙カバー１２とが設けられている。
【００１６】
ロール紙ホルダ１１は、１本のロール状の記録用紙（以下、ロール紙という）を設置する部分であり、給紙部１０の内部に設けられている。このロール紙ホルダ１１は、スピンドル部１３と、スピンドル受部１４及び１５とを備えている。スピンドル部１３は、ロール紙を保持する軸部材であり、図中左右方向に延在している。スピンドル部１３にはロール紙押さえ部が設けられており、スピンドル部１３に保持されたロール紙を両側から押さえることでロール紙の位置がずれないように固定できるようになっている。スピンドル受部１４及び１５は、スピンドル部１３を回転可能に支持する軸受部である。
【００１７】
ロール紙カバー１２は、跳ね上げ式の開閉可能なカバー部材であり、給紙部１０の外側に取り付けられている。このロール紙カバー１２は、全体が回動可能に支持されている。ユーザがロール紙カバー１２の下部を持って持ち上げることで開状態とすることが可能であり、押し下げることにより閉状態とすることが可能になっている。図１においてはロール紙カバー１２が開かれた状態になっている。ロール紙カバー１２は、閉じた状態でロール紙ホルダ１１を覆うようになっている。
【００１８】
記録部２０は、キャリッジ２１と、キャリッジ移動機構２２と、フレキシブルフラットケーブル（ＦＦＣ）２３と、インクカートリッジホルダ２４と、インクチューブ２５と、蓋部材２６と、操作パネル２７と、キャッピング機構２８（図２参照）と、廃液回収部２９（図２参照）とを有しており、この他にも例えば制御部１００（図３参照）や不図示の紙送りローラなどを有している。
【００１９】
キャリッジ２１は、記録ヘッド２１ａを保持する保持部材であり、キャリッジ移動機構２２によって主走査方向に移動可能になっている。記録ヘッド２１ａは、ブラックインクを吐出するブラックインク用記録ヘッドと、ライトイエロー、イエロー、ライトシアン、シアン、ライトマゼンタ、マゼンタ等の各色のインクを吐出する複数のカラーインク用記録ヘッドとを有している。この記録ヘッド２１ａは、圧力発生室と当該圧力発生室に繋がるノズル開口とを有している。圧力発生室にはインクが貯留されるようになっており、インクが貯留された状態で当該圧力発生室内を所定圧で加圧することによりノズル開口からロール紙に向けてインク滴が噴射されるようになっている。記録ヘッド２１ａによるインクの噴射の動作は、例えば制御部１００によって制御されるようになっている。
【００２０】
キャリッジ移動機構２２は、レール２２ａとキャリッジベルト２２ｂとを有している。レール２２ａには不図示のコロを介してキャリッジ２１が吊り下げられており、当該コロを介してキャリッジ２１が主走査方向に移動可能になっている。キャリッジベルト２２ｂにはキャリッジ２１が連結されており、自身が主走査方向に移動するようになっている。キャリッジベルト２２ｂが主走査方向に移動することでキャリッジ２１がレール２２ａに案内されて主走査方向に往復移動するようになっている。キャリッジベルト２２ｂの移動は、例えば制御部１００によって制御されるようになっている。
【００２１】
ＦＦＣ２３は、記録ヘッド２１ａと制御部１００とを電気的に接続するケーブルであり、一方の端部が記録ヘッド２１ａのコネクタに接続されると共に他方の端部が制御部１００のコネクタに接続された構成になっている。このＦＦＣ２３を介して、制御部１００からの記録信号が記録ヘッド２１ａに伝達されるようになっている。
【００２２】
インクカートリッジホルダ２４は、内部に不図示のインクカートリッジを有している。インクカートリッジは、上記記録ヘッド２１ａから噴射される各色（ブラック、ライトイエロー、イエロー、ライトシアン、シアン、ライトマゼンタ、マゼンタ等）のインクを保持するカートリッジである。
【００２３】
インクチューブ２５は、記録ヘッド２１ａと上記のインクカートリッジとをつなぐチューブ部材であり、上記色毎に別個に設けられている。インクチューブ２５には図示しないインク加圧供給機構が接続されており、当該インク加圧供給機構によって加圧された各色のインクが各色のインクカートリッジから記録ヘッド２１ａへと送出されるようになっている。インク加圧供給機構の動作は、例えば制御部１００によって制御されるようになっている。
【００２４】
蓋部材２６は、前蓋２６ａと、上蓋２６ｂとを有している。前蓋２６ａは記録部２０の正面に設けられており、キャリッジ２１、キャリッジ移動機構２２、インクチューブ２５などを覆うようになっている。この前蓋２６ａは、ユーザが押し下げることで開状態に、押し上げることで閉状態になるように構成されている。図１では、前蓋２６ａは開状態になっている。上蓋２６ｂは記録部２０の上部に設けられており、不図示の給紙ローラなどを覆うようになっている。この上蓋２６ｂは、ユーザが押し上げることで開状態に、押し下げることで閉状態になるように構成されている。図１では、上蓋２６ｂは閉状態になっている。
【００２５】
操作パネル２７は、ユーザがプリンタ１を操作するための操作部であり、記録部２０の上蓋２６ｂの図中右側に設けられている。この操作パネル２７は、例えば液晶装置などからなる表示画面２７ａと、不図示の各種ボタンとが設置されており、ユーザが表示画面を見て確認しながらボタン操作できるようになっている。操作パネル２７の表示画面２７ａがタッチパネルによって構成されていても良い。操作パネル２７の駆動制御は、例えば制御部１００によって行われるようになっている。操作パネル２７の表示画面２７ａには、例えば印刷動作に関する情報や、インクの交換に関する情報、廃液回収部２９に供給されているインクの量に関する情報などが表示されるようになっている。
【００２６】
キャッピング機構２８は、図２に示すように、記録ヘッド２１ａのノズル開口近傍のインク粘度が上昇するのを防止するためのメンテナンス機構である。キャッピング機構２８には吸引機構が取り付けられており、ノズル開口に付着したインクを吸引できるようになっている。キャッピング機構２８による吸引動作は、例えば制御部１００によって制御されるようになっている。
【００２７】
廃液回収部２９は、例えばキャッピング機構２８によって吸引されたインクや、記録ヘッド２１ａに初期充填する際に使用されるインク、記録ヘッド２１ａに至るインク供給系を洗浄する際に使用される洗浄液などの廃液が供給される部分である。この廃液回収部２９は、図２に示すようにプリンタ本体２の背面側、キャッピング機構２８の下方に設けられており、当該廃液回収部２９には、廃液タンク６０が着脱可能に装着されている。廃液タンク６０は、廃液回収部２９の出入口２９ｐを介して出し入れできるようになっている。
【００２８】
排紙部３０は、記録部２０の下側に設けられており、排紙ローラ３１ａと、排紙ガイド３１ｂとを有している。排紙ローラ３１ａはロール紙に当接可能に設けられており、当該排紙ローラ３１ａを介してロール紙が副走査方向（主走査方向の直交方向）へ送出されるようになっている。排紙ガイド３１ｂは記録部２０の正面側に突出するように設けられており、当該排紙ガイド３１ｂを介してロール紙が副走査方向へ導かれるようになっている。
【００２９】
脚部３は、移動用のコロ４１を有する２本の支持柱４２と、これらの支持柱４２の間に掛け渡されている補強棒４３とを備えている。支持柱４２の上部には記録部２０がネジ止め固定されている。支持柱４２の間には、排紙部３０から排出されてくるロール紙を受ける紙受け装置が配置されるように所定のスペースが設けられている。
【００３０】
図３は、プリンタ１の断面構成を示す図である。  
同図に示すように、給紙部１０から記録部２０を経て排紙部３０へ向かう用紙搬送経路５０は、プリンタ１の上部後面側から下部前面側にかけて傾斜して設けられている。この用紙搬送経路５０は、給紙部１０から記録部２０にかけて配設された平坦な給紙ガイド５１、対向配置された接触・離間可能な紙送りローラ５２及び従動ローラ５３、キャリッジ２１に搭載された記録ヘッド２１ａと対向配置された平坦な用紙搬送案内部であるプラテン５４、記録部２０から排紙部３０にかけて設けられた平坦な紙吸引部５５、排紙部３０に設けられた排紙ガイド３１ｂを備えている。
【００３１】
給紙ガイド５１、排紙ガイド３１ｂの各表面は、用紙搬送面として作用する。紙吸引部５５の表面は、用紙搬送面及び用紙吸引面として作用する。この紙吸引部５５は、主走査方向に複数並設され、副走査方向に３列配設された吸引口（媒体吸引部）５５ａ、５５ｂ、５５ｃを備えている。主走査方向の吸引口５５ｂと５５ｃとの間には、副走査方向に延びるリブ５５ｄが形成されている。記録部２０の内部に設けられたファン５７により外気が各吸引口５５ａ、５５ｂ、５５ｃから吸引されることにより、紙吸引部５５上を搬送されるロール紙を吸着するようになっている。
【００３２】
プラテン５４の表面は、用紙搬送案内面として作用すると共に用紙吸引面としても作用する。このプラテン５４は、主走査方向に交互に複数並設された吸引口５４ａとリブ５４ｂを備えており、記録部２０の内部に配設されたファン５７により外気が各吸引口５４ａから吸引されることにより、プラテン５４上を搬送されるロール紙を吸着するようになっている。従って、記録時において特にロール紙の幅が広くてもロール紙はプラテン５４上で全幅にわたって確実に吸引されて略平坦になる。
【００３３】
プラテン５４と吸引部５５との間には隙間Ｃが設けられており、ファン５７によって外気が隙間Ｃから吸引され、隙間Ｃ上を搬送されるロール紙を吸着するようになっている。このプラテン５４は、ロール紙の幅方向のサイズに対応させて分割、例えば４インチの幅で７つに分割され、各分割部には例えばスポンジや不織布等のインク吸収材５６が設けられている。
【００３４】
図４は、廃液タンク６０の外観を示す図である。  
廃液タンク６０は、廃液回収部２９に供給される廃液を収容するユニットであり、容器６１と、廃液吸収材６２とを備えている。
【００３５】
容器６１は、例えば硬質プラスチックなどの材料によって直方体状に形成されており、廃液回収部２９に対して着脱可能に設けられている。容器６１の正面６１ｂの下部には、廃液タンク６０を把持するための凹状の把持部６４が形成されている。容器６１の側面６１ｃには、廃液の貯留量等の情報を記憶するＣＳＩＣ６５が設けられている。
【００３６】
容器６１の開口部６１ａには、蓋部材６６が設けられている。蓋部材６６は、容器６１に対して着脱可能に設けられている。容器６１の正面６１ｂ側を覆っている共に、容器６１の背面６１ｄ側では格子状に設けられている。蓋部材６６の格子の間からは、容器６１の内部が視認可能になっている。蓋部材６６には、廃液タンク６０内へ廃液を流入させる円筒形状の廃液流入口６３が形成されている。この廃液流入口６３は、平面視で廃液タンク６０の重心位置に配置されており、円筒面が上部にせり出すように形成されている。廃液流入口６３により、廃液タンク６０の抜き取り動作時に気泡が円筒内に掻き落とされるようになっている。
【００３７】
図５は、廃液タンク６０の内部構成を示す図であり、図４において蓋部材６６を取り外したときの様子を示している。  
容器６１内には廃液吸収材６２が設けられている。廃液吸収材６２は、例えばハトシートなどのパルプ材やスポンジ、不織布などからなり、容器６１の短手方向に複数分割されて設けられている。廃液タンク６０を装着した状態で廃液回収部２９に廃液を供給することで廃液吸収材６２に廃液が吸収されるようになっており、廃液が廃液吸収材６２に吸収された廃液タンク６０を廃液回収部２９から取り外すことにより廃液が回収されるようになっている。
【００３８】
廃液吸収材６２のうち、蓋部材６６を装着した状態で上記の廃液流入口６３に平面視で重なる位置には、短手方向に沿って凹状の段差部６２ｂが設けられている。この段差部６２ｂには廃液流入口６３からの廃液が直接的に供給される部分であり、泡状になった廃液が堆積するようになっている。泡状の廃液が凹状の段差部６２ｂに収容されることにより、当該廃液が容器６１の外部にあふれ出すのを防ぐことができるようになっている。廃液吸収材６２の上面６２ａ及び段差部６２ｂの表面は、ほぼ全面が廃液と同一又は近似する色調となるように着色されている。色調は、一般的に、色相、明度、彩度によって構成されるものである。廃液と同一又は近似する色調として、例えば廃液を吸収させたときに呈する色相、明度、彩度に近くなるような黒色が好ましい。また、黒色のほかに、廃液と同一又は近似する色相、明度、彩度となるような色調であれば、上記黒色以外であっても構わない。
【００３９】
次に、上記のように構成されたプリンタ１の動作を説明する。  
まず、ロール紙Ｒが挿入されたスピンドル部１３をスピンドル受部１４及び１５に取り付け、ロール紙Ｒの先端を下方に引き出して記録部２０の搬送経路を通し、図７に示すように、排紙部３０の搬送経路まで通す。
【００４０】
次に、図８に示すように、ロール紙Ｒを巻き取り方向に回転させてロール紙Ｒの先端を例えば排紙ガイド４６に形成されている不図示のマーカに位置決めする。その後、プリンタ１を起動して、ロール紙Ｒを副走査方向に給紙しつつ記録ヘッド２１ａを主走査方向に移動させながらインク滴を吐出させ、ロール紙Ｒに所定の情報を記録して排紙する。
【００４１】
このように、本実施形態によれば、開口部６１ａを有する容器６１と、一部が開口部６１ａから露出するように容器６１内に収容され廃液を吸収して貯留する廃液吸収材６２とを備え、廃液吸収材６２のうち開口部６１ａから外部に露出する領域の少なくとも一部は、廃液と同一又は近似する色調になっていることとしたので、外観上廃液吸収材６２の少なくとも一部に廃液が付着しているかのような印象をユーザに与えることができる。これにより、ユーザが容器６１内の廃液吸収材６２に触れるのを抑止することができる。
【００４２】
本発明の技術範囲は上記実施形態に限定されるものではなく、本発明の趣旨を逸脱しない範囲で適宜変更を加えることができる。  
上記実施形態においては、廃液吸収材６２の上面６２ａ及び段差部６２ｂの表面の全面を上記黒色になるように構成されているが、これに限られることは無く、例えば図９に示すように、蓋部材６６を装着したときに外観上視認可能な廃液吸収材６２の領域６２ｃのみ上記黒色に着色する構成としても構わない。例えば、廃液タンク６０の正面６１ｂ側の領域６２ｄは、蓋部材６６を装着したときに覆われることになるため、この領域６２ｄは着色しなくても構わない。
【００４３】
また、例えば図１０に示すように、廃液吸収材６２のうち、蓋部材６６を装着したときに平面視で廃液流入口６３の外側の領域６２ｅのみを上記黒色に着色する構成としても構わない。この場合、廃液流入口６３で囲まれる領域６２ｆについては上記黒色に着色しない構成となる。廃液吸収材６２の領域６２ｆには廃液が直接供給されるため、当該廃液によって着色されることになる。したがって、廃液タンク６０の交換時には、外観上、廃液吸収材６２の全面に廃液が付着しているかのような印象をユーザに与えることができる。同様の理由から、廃液吸収材６２の上面６２ａを上記黒色に着色し、廃液が直接的に供給される段差部６２ｂの表面については着色しないように構成しても構わない。
【図面の簡単な説明】
【００４４】
【図１】本発明の実施の形態に係るプリンタの正面の構成を示す概略斜視図。
【図２】プリンタの背面の構成を示す概略斜視図。
【図３】プリンタの断面構成を示す概略断面図。
【図４】廃液タンクの構成を示す概略斜視図。
【図５】廃液タンクの内部構成を示す概略斜視図。
【図６】廃液タンクの構成を示す平面図。
【図７】プリンタの動作を示す図。
【図８】プリンタの動作を示す図。
【図９】廃液タンクの他の構成を示す側面図。
【図１０】廃液タンクの他の構成を示す側面図。
【符号の説明】
【００４５】
１…プリンタ（流体噴射装置）  ２…プリンタ本体（装置本体）  ２１ａ…ヘッド（流体噴射ヘッド）  ６０…廃液タンク（流体収容タンク）  ６１…容器  ６１ａ…開口部（開口）  ６２…廃液吸収材（吸収部材）  ６２ａ…上面  ６２ｂ…段差部  ６２ｃ、６２ｄ、６２ｅ、６２ｆ…領域  ６３…廃液流入口  ６６…蓋部材
【図１】
2009072966.tif 000003
【図２】
2009072966.tif 000004
【図３】
2009072966.tif 000005
【図４】
2009072966.tif 000006
【図５】
2009072966.tif 000007
【図６】
2009072966.tif 000008
【図７】
2009072966.tif 000009
【図８】
2009072966.tif 000010
【図９】
2009072966.tif 000011
【図１０】
2009072966.tif 000012